(57)【特許請求の範囲】
【請求項１】
帯状のビードフィラをビードリングの外周面に接合しつつ環状にして成形されたビード部材を、このビード部材の円形開口に保持バーを挿通させて待機位置で縦置き状態に吊り下げ、このビード部材に向かって、縦置き状態で吊り下げた円筒状のビードセパレータを搬送してこのビード部材をビードセパレータに載置した後、このビード部材をビードセパレータとともに一体的に別工程に搬送するビード部材の搬送方法であって、
前記ビードセパレータが筒軸方向両端に同軸を中心にした円形開口を有し、一端の円形開口よりも他端の円形開口が大径に形成されて、一端から他端に向かって拡径する方向に傾斜する傾斜外面および傾斜内面を備え、
多数の前記ビードセパレータを、前記傾斜外面を前記ビード部材側に向けて配置して縦置き状態に吊り下げておき、前記待機位置にビード部材が縦置き状態に吊り下げられる都度、前記ビードセパレータを保持具によって保持するとともに、この保持具よりも前記ビード部材側に配置される押さえバーを、前記ビードセパレータに当接させることにより、このビードセパレータを前記押さえバーに沿って縦置き状態に維持しながら、前記保持具および押さえバーとともに前記ビード部材に向かって搬送して、このビードセパレータの一端の円形開口を前記保持バーに挿通させて、この保持バーの前記ビード部材の待機位置よりも先端側の位置で外周方向に突出する突出部を、このビードセパレータの前記傾斜内面に接触させて、この突出部で支持することによりビードセパレータを縦置き状態に吊り下げて前記ビード部材に隣接配置して保持し、次いで、前記ビード部材および前記ビードセパレータの少なくとも一方を前記保持バーの延設方向に沿って移動させることにより、前記ビード部材を前記傾斜外面に載置してこのビード部材をビードセパレータとともに一体的に別工程に搬送することを特徴とするビード部材の搬送方法。
【請求項２】
前記保持具の先端部の向きを、前記傾斜外面に追従させて変化させた状態にして前記傾斜外面の上端部を前記保持具によって保持する請求項１に記載のビード部材の搬送方法。
【請求項３】
前記保持バーの前記突出部よりも後端側の位置に外周方向に突出移動可能な突出移動突起を設け、外周方向に突出した状態の突出移動突起と前記突出部との間で前記ビードセパレータを保持する請求項１または２に記載のビード部材の搬送方法。
【請求項４】
ビードリングの外周面にビードフィラを接合して形成されたビード部材が載置される円筒状のビードセパレータを縦置き状態に吊り下げて保持する保持手段と、この保持手段により保持されるビードセパレータを、待機位置で縦置き状態に吊り下げて保持される前記ビード部材に向かって搬送するセパレータ搬送手段と、前記待機位置で前記ビード部材および前記セパレータ搬送手段により搬送されたビードセパレータを縦置き状態に吊り下げる吊り下げ手段と、前記ビード部材を前記ビードセパレータに載置した後、このビード部材をビードセパレータとともに一体的に別工程に搬送するビード部材搬送手段とを備えたビード部材の搬送装置であって、
前記ビードセパレータが筒軸方向両端に同軸を中心にした円形開口を有し、一端の円形開口よりも他端の円形開口が大径に形成されて、一端から他端に向かって拡径する方向に傾斜する傾斜外面および傾斜内面を備え、
前記保持手段が、前記傾斜外面を前記ビード部材側に向けて配置した前記ビードセパレータを保持する保持具と、この保持具よりも前記ビード部材側に配置される押さえバーとを備え、この押さえバーを前記ビードセパレータに当接させることにより、このビードセパレータを前記押さえバーに沿って縦置き状態に維持する構成であり、
前記セパレータ搬送手段が前記保持具および押さえバーを一緒に前記ビード部材に向かって移動させる移動機構であり、
前記吊り下げ手段が、保持バーと、この保持バーの前記ビード部材の待機位置よりも先端側の位置で外周方向に突出する突出部とを備え、前記保持バーが、前記ビード部材に挿通することにより、前記ビード部材を縦置き状態に吊り下げるとともに、前記ビードセパレータの一端の円形開口を挿通し、前記突出部がビードセパレータの前記傾斜内面に接触して、この突出部で支持することによりビードセパレータを縦置き状態に吊り下げて前記ビード部材に隣接配置して保持する構成であることを特徴とするビード部材の搬送装置。
【請求項５】
前記保持具の先端部の向きが変更可能に構成され、この先端部の向きを前記傾斜外面に追従させた方向にして前記傾斜外面の上端部を保持具によって保持する構成にした請求項４に記載のビード部材の搬送装置。
【請求項６】
前記保持バーの前記突出部よりも後端側の位置に外周方向に突出移動可能な突出移動突起が設けられ、外周方向に突出した状態の前記突出移動突起と前記突出部との間で前記ビードセパレータを保持する構成にした請求項４または５に記載のビード部材の搬送装置。
【発明の詳細な説明】
【技術分野】
【０００１】
本発明は、ビード部材の搬送方法および装置に関し、さらに詳しくは、成形されたビード部材の不用意な変形を防止しつつ、別工程へ迅速に搬送することができる生産性に優れたビード部材の搬送方法および装置に関するものである。
【背景技術】
【０００２】
タイヤの製造工程では未加硫ゴムを有する様々な部材が使用される。これら部材の一つにビード部材がある。ビード部材は、円環状のビードリングの外周側に未加硫ゴムで形成された断面略三角形のビードフィラが接合されて形成されている。ビードフィラの径方向長さが大きいビード部材では、未加硫ゴムのビードフィラが一段と変形し易くなる。不用意な変形をしたビードフィラを用いてグリーンタイヤを成形すると、成形不良や加硫した空気入りタイヤの品質に悪影響が生じることがある。そのため、ビードフィラの不用意な変形がないビード部材を確保することが重要になる。
【０００３】
そこで従来、ビード部材を所定形状に維持するために、製造工程ではビードセパレータを使用されている（例えば、特許文献１、２参照）。このビードセパレータは円筒形状であり、その外表面にビード部材が載置される。ビード部材の製造工程では、成形したビード部材を移動させてビードセパレータの外表面に載置する。そのため、移動させる途中でビード部材に不用意な変形が生じることがあった。また、ビード部材を迅速に移動させるとより変形し易くなるので、工程に要する時間短縮をすることが難しく、生産性向上の障害になっていた。
【０００４】
一方、吊り下げたビードセパレータを、成形したビード部材に向かって移動させると、ビードセパレータが振らつくという問題がある。そのため、ビード部材をビードセパレータの外表面の所定位置に載置するため、或いは、周囲の設備との干渉を防止するには、ビードセパレータの移動速度を上げることは難しい。それ故、生産性の向上を図るには工夫が必要であった。
【先行技術文献】
【特許文献】
【０００５】
【特許文献１】特開２００５−１６１８７７号公報
【特許文献２】特開２００７−２８３６５２号公報
【発明の概要】
【発明が解決しようとする課題】
【０００６】
本発明の目的は、成形されたビード部材の不用意な変形を防止しつつ、別工程へ迅速に搬送することができる生産性に優れたビード部材の搬送方法および装置を提供することにある。
【課題を解決するための手段】
【０００７】
上記目的を達成するため本発明のビード部材の搬送方法は、帯状のビードフィラをビードリングの外周面に接合しつつ環状にして成形されたビード部材を、このビード部材の円形開口に保持バーを挿通させて待機位置で縦置き状態に吊り下げ、このビード部材に向かって、縦置き状態で吊り下げた円筒状のビードセパレータを搬送してこのビード部材をビードセパレータに載置した後、このビード部材をビードセパレータとともに一体的に別工程に搬送するビード部材の搬送方法であって、前記ビードセパレータが筒軸方向両端に同軸を中心にした円形開口を有し、一端の円形開口よりも他端の円形開口が大径に形成されて、一端から他端に向かって拡径する方向に傾斜する傾斜外面および傾斜内面を備え、多数の前記ビードセパレータを、前記傾斜外面を前記ビード部材側に向けて配置して縦置き状態に吊り下げておき、前記待機位置にビード部材が縦置き状態に吊り下げられる都度、前記ビードセパレータを保持具によって保持するとともに、この保持具よりも前記ビード部材側に配置される押さえバーを、前記ビードセパレータに当接させることにより、このビードセパレータを前記押さえバーに沿って縦置き状態に維持しながら、前記保持具および押さえバーとともに前記ビード部材に向かって搬送して、このビードセパレータの一端の円形開口を前記保持バーに挿通させて、この保持バーの前記ビード部材の待機位置よりも先端側の位置で外周方向に突出する突出部を、このビードセパレータの前記傾斜内面に接触させて、この突出部で支持することによりビードセパレータを縦置き状態に吊り下げて前記ビード部材に隣接配置して保持し、次いで、前記ビード部材および前記ビードセパレータの少なくとも一方を前記保持バーの延設方向に沿って移動させることにより、前記ビード部材を前記傾斜外面に載置してこのビード部材をビードセパレータとともに一体的に別工程に搬送することを特徴とする。
【０００８】
本発明のビード部材の搬送装置は、ビードリングの外周面にビードフィラを接合して形成されたビード部材が載置される円筒状のビードセパレータを縦置き状態に吊り下げて保持する保持手段と、この保持手段により保持されるビードセパレータを、待機位置で縦置き状態に吊り下げて保持される前記ビード部材に向かって搬送するセパレータ搬送手段と、前記待機位置で前記ビード部材および前記セパレータ搬送手段により搬送されたビードセパレータを縦置き状態に吊り下げる吊り下げ手段と、前記ビード部材を前記ビードセパレータに載置した後、このビード部材をビードセパレータとともに一体的に別工程に搬送するビード部材搬送手段とを備えたビード部材の搬送装置であって、前記ビードセパレータが筒軸方向両端に同軸を中心にした円形開口を有し、一端の円形開口よりも他端の円形開口が大径に形成されて、一端から他端に向かって拡径する方向に傾斜する傾斜外面および傾斜内面を備え、前記保持手段が、前記傾斜外面を前記ビード部材側に向けて配置した前記ビードセパレータを保持する保持具と、この保持具よりも前記ビード部材側に配置される押さえバーとを備え、この押さえバーを前記ビードセパレータに当接させることにより、このビードセパレータを前記押さえバーに沿って縦置き状態に維持する構成であり、前記セパレータ搬送手段が前記保持具および押さえバーを一緒に前記ビード部材に向かって移動させる移動機構であり、前記吊り下げ手段が、保持バーと、この保持バーの前記ビード部材の待機位置よりも先端側の位置で外周方向に突出する突出部とを備え、前記保持バーが、前記ビード部材に挿通することにより、前記ビード部材を縦置き状態に吊り下げるとともに、前記ビードセパレータの一端の円形開口を挿通し、前記突出部がビードセパレータの前記傾斜内面に接触して、この突出部で支持することによりビードセパレータを縦置き状態に吊り下げて前記ビード部材に隣接配置して保持する構成であることを特徴とする。
【発明の効果】
【０００９】
本発明によれば、待機位置で縦置き状態に吊り下げたビード部材に向かって、縦置き状態で吊り下げた円筒状のビードセパレータを搬送してこのビード部材をビードセパレータに載置した後、このビード部材をビードセパレータとともに一体的に別工程に搬送するので、実質的にビード部材を単独で移動させることがなく、ビードフィラの不用意な変形を防止するには有利になる。また、縦置き状態に吊り下げたビードセパレータを保持具によって保持するとともに、この保持具よりも前記ビード部材側に配置される押さえバーを、前記ビードセパレータに当接させることにより、このビードセパレータを前記押さえバーに沿って縦置き状態に維持しながら、前記保持具および押さえバーとともに待機位置のビード部材に向かって搬送するのでビードセパレータが振らつくことが防止される。加えて、保持バーの前記ビード部材の待機位置よりも先端側の位置で外周方向に突出する突出部を、ビードセパレータの傾斜内面に接触させて、この突出部で支持することによりビードセパレータを縦置き状態に吊り下げて待機位置のビード部材に隣接配置して安定に保持できる。そのため、ビードセパレータを迅速に移動させてビード部材を所定位置に精度よく載置することができる。また、移動させるビードセパレータは縦置き状態で安定に吊り下がった姿勢になるので周辺設備に干渉するという不具合も回避できる。
【００１０】
加えて、多数の前記ビードセパレータを、前記傾斜外面を前記ビード部材側に向けて配置して縦置き状態に吊り下げておき、前記待機位置にビード部材が縦置き状態に吊り下げられる都度、前記ビードセパレータを待機位置のビード部材に向かって搬送する。したがって、成形したビード部材をビードセパレータとともに一体的に迅速に別工程に搬送することが可能になる。
【図面の簡単な説明】
【００１１】
【図１】本発明のビード部材の搬送装置を側面視で例示する説明図である。
【図２】図１の吊り下げ手段を側面視で例示する説明図である。
【図３】ビードセパレータが搬送された後の図２の吊り下げ手段を側面視で例示する説明図である。
【図４】図３の一部を拡大して断面視で例示する説明図である。
【図５】図４のＡ矢視で吊り下げ手段の要部を例示する説明図である。
【図６】図１の保持手段およびセパレータ搬送手段を側面視で例示する説明図である。
【図７】図６のＢ矢視で保持手段およびセパレータ搬送手段を例示する説明図である。
【図８】図７の押さえバーの変形例を示す説明図である。
【図９】ビードセパレータの傾斜外面にビード部材を載置した状態を側面視で例示する説明図である。
【図１０】押さえバーがない保持手段を用いてビードセパレータを保持した状態を側面視で例示する説明図である。
【発明を実施するための形態】
【００１２】
以下、本発明のビード部材の搬送方法および装置を、図に示す実施形態に基づいて具体的に説明する。
【００１３】
図１に例示する本発明のビード部材の搬送装置１（以下、搬送装置１という）は、成形されたビード部材１３をビードセパレータ１２に載置して、ビードセパレータ１２とともに別工程に搬送する。ビード部材１３は、ビードリング１３ａと、ビードリング１３ａの外周面に接合された未加硫ゴムからなるビードフィラ１３ｂとで形成された円環状体である。このビード部材１３は、断面略三角形状の帯状のビードフィラ１３ｂが円環形状のビードリング１３ａの外周面に接合されて形成される。
【００１４】
ビードセパレータ１２は円筒形状であり、筒軸方向両端に同軸を中心にした円形開口１２ａ、１２ｂを有している。一端の円形開口１２ａよりも他端の円形開口１２ｂが大径に形成されて、一端から他端に向かって拡径する方向に傾斜する傾斜外面１２ｃおよび傾斜内面１２ｄを備えている。
【００１５】
この搬送装置１は、ビードセパレータ１２を縦置き状態に吊り下げて保持する保持具３と、保持具３により保持されるビードセパレータ１２を、ビード部材１３の待機位置ＷＰに向かって搬送する水平伸縮ロッド５と、待機位置ＷＰでビード部材１３および搬送されたビードセパレータ１２を縦置き状態に吊り下げる吊り下げ手段６と、ビード部材１３をビードセパレータ１２とともに一体的に別工程に搬送するビード部材搬送手段１１とを備えている。
【００１６】
図２に例示するように、ビード部材１３は、吊り下げフレーム７に設置された吊り下げ手段６によって所定の待機位置ＷＰで縦置き状態に吊り下げて保持される。吊り下げ手段６は、例えば、ビード部材１３に挿通する保持バー８と、保持バー８に設定された待機位置ＷＰよりも先端側の位置で外周方向に突出する突出部９とを備えている。この実施形態では保持バー８にはさらに、突出部９よりも後端側の位置で、かつ、待機位置ＷＰよりも先端側の位置に外周方向に突出移動可能な突出移動突起１０が設けられている。即ち、突出部９と待機位置ＷＰとの間に移動突出突起１０が設けられている。
【００１７】
尚、保持バー８は図３〜図５に例示するように、水平伸縮ロッド５によって搬送されたビードセパレータ１２の一端の円形開口１２ａを挿通し、突出部９が傾斜内面１２ｄに接触するようになっている。この突出部９で傾斜内面１２ｄを支持することで、ビードセパレータ１２を縦置き状態に吊り下げてビード部材１３に隣接配置して保持する構成になっている。
【００１８】
突出部９は例えば正面視で断面三角形状にする。突出部９は単数または複数設けることができる。突出部９を単数にする場合は、正面視（図３のＡ矢視）で保持バー８の幅方向中心部に配置することが好ましい。突出部９を複数にする場合は、正面視で保持バー８の幅方向中心に対して対称の位置に配置することが好ましい。突出部９を保持バー８の幅方向に移動可能に設けて突出部９どうしの間隔を可変構造にすることもできる。
【００１９】
図６〜図７に例示するように、この実施形態では保持具３が、フレーム２に設置された伸縮ロッド３ｂに取り付けられた吸引パッド３ａと、押さえバー４とで構成されている。伸縮ロッド３ｂは流体圧シリンダ等によって上下方向に進退する。保持具３はこれに限らず、ビードセパレータ１２を縦置き状態に吊り下げて保持する保持手段であればよく、様々な把持具等を用いることができる。
【００２０】
保持具３の先端部となる吸引パッド３ａは向きを変更可能に構成されている。そして、保持具３の先端部（吸引パッド３）の向きを傾斜外面１２ｃに追従させた方向にして、傾斜外面１２ｃの上端部を保持具３によって保持する構成にすることが好ましい。これにより、傾斜外面１２ｃの傾斜角度が異なる様々なビードセパレータ１２をより確実に保持し易くなる。
【００２１】
保持具３は単数にすることもこの実施形態のように複数にすることもできる。保持具３を単数にする場合は、正面視（図６のＢ矢視）でビードセパレータ１２の幅方向中心部に配置することが好ましい。保持具３を複数にする場合は、正面視でビードセパレータ１２の幅方向中心に対して対称の位置に配置することが好ましい。
【００２２】
この実施形態では、上下方向に延びる２本の押さえバー４が間隔をあけて横並びで配置されている。押さえバー４の上端部は水平伸縮ロッド５に接続されて、水平方向に移動可能になっている。押さえバー４は、保持具３よりも待機位置ＷＰのビード部材１３側に配置されている。押さえバー４はビードセパレータ１２の一端に当接することにより、ビードセパレータ１２を押さえバー４に沿って縦置き状態に維持する。この実施形態では、図７に例示するように押さえバー４がビードセパレータ１２の４箇所に当接して押さえている。
【００２３】
押さえバー４は上下移動させてビードセパレータ１２に一端に当接させる構成にするだけでなく、例えば、左右方向（横方向）に移動させてビードセパレータ１２に一端に当接させる構成にすることもできる。
【００２４】
押さえバー４は複数本に限らず例えば、図８に例示するように単数にすることもできる。図８に例示する押さえバー４は、Ｌ字形状になっていてビードセパレータ１２の３箇所に当接して押さえている。
【００２５】
水平伸縮ロッド５はフレーム２に設置されていて、流体圧シリンダ等によって水平方向に進退する。セパレータ搬送手段は水平伸縮ロッド５に限らず、保持具３により保持されるビードセパレータ１２および押さえバー４を一緒に、待機位置ＷＰのビード部材１３に向かって移動させる移動機構であればよい。
【００２６】
ビード部材搬送手段１１は、ビード部材１３をビードセパレータ１２とともに一体的に別工程に搬送できるものであればよい。例えば、流体圧シリンダ、搬送台車、その他、公知の種々の搬送手段を用いることができる。
【００２７】
次に、この搬送装置１を用いてビード部材１３をビードセパレータ１２に載置して、ビードセパレータ１２とともに別工程に搬送する方法を説明する。
【００２８】
まず、帯状のビードフィラ１３ｂをビードリング１３ａの外周面に接合しつつ環状にしてビード部材１３が順次成形される。吊り下げ手段６では図１、２に例示するように、成形されたビード部材１３がその円形開口１３ｃに保持バー８を挿通させて待機位置ＷＰで縦置き状態に吊り下げられる。
【００２９】
吊り下げ手段６に対向配置されたフレーム２には、多数のビードセパレータ１２を、傾斜外面１２ｃをビード部材１３側に向けて配置して縦置き状態に吊り下げておく。そして、待機位置ＷＰに１本のビード部材１３が縦置き状態に吊り下げられる都度、１個のビードセパレータ１２を待機位置ＷＰのビード部材１３に向かって搬送する。
【００３０】
その際に、図６〜図７に例示するように、保持具３を下方移動させてビードセパレータ１２の傾斜外面１２ｃの上端部を吸引パッド３ａによって吸引保持する。また、保持具３（吸引パッド３ａ）よりもビード部材１３側に押さえバー４を配置してビードセパレータ１２に当接させる。これにより、ビードセパレータ１２を押さえバー４に沿って縦置き状態に維持する。この状態で水平伸縮ロッド５を伸長させて、保持具３および押さえバー４とともにビードセパレータ１２をビード部材１３に向かって搬送する。
【００３１】
図１０に例示するように、押さえバー４を備えていない保持具３を用いた場合は、ビードセパレータ１２が吸引パッド３ａを中心にして上方に回転移動した状態で保持されることになる。また、この場合は、吸引パッド３ａに保持されたビードセパレータ１２は安定しないので移動中に振らつき易くなる。それ故、保持具３によって保持されたビードセパレータ１２は、フレーム２に対向配置されたビード部材成形装置や吊り下げ手段６などの周辺設備に干渉し易くなるとともに、迅速に移動させるにも不利になる。
【００３２】
一方、本発明では図６に例示するように、縦置き状態に吊り下げたビードセパレータ１２の傾斜外面１２ｃの上端部を保持具３によって保持するとともに、ビードセパレータ１２を押さえバー４に沿って縦置き状態に維持する。それ故、ビードセパレータ１２が破線で示すように吸引パッド３ａを中心にして上方に回転移動した状態で保持されることはない。
【００３３】
このようにビードセパレータ１２を縦置き状態に維持しながら、保持具３および押さえバー４とともに待機位置ＷＰのビード部材１３に向かって搬送するのでビードセパレータ１２の振らつきが防止される。これに伴って、待機位置ＷＰに向かって搬送するビードセパレータ１２が周辺設備に干渉し難くなるとともに、ビードセパレータ１２を迅速に移動させるにも有利になる。
【００３４】
搬送したビードセパレータ１２は、図３〜図５に例示するように、その一端の円形開口１２ａを保持バー８に挿通させて、保持バー８から外周方向に突出した突出部９を、このビードセパレータ１２の傾斜内面１２ｄに接触させる。傾斜内面１２ｄに接触させた突出部９によってビードセパレータ１２を支持することにより、ビードセパレータ１２を縦置き状態に吊り下げるとともにビード部材１３に隣接配置して保持する。このように突出部９を傾斜内面１２ｄに接触させてビードセパレータ１２を支持して縦置き状態に吊り下げるので安定に保持できる。ビードセパレータ１２を安定して保持するには、突出部９の数は２つ（２点支持）がより好ましい。
【００３５】
この実施形態では、突出部９と突出移動させた突出移動突起１０との間でビードセパレータ１２を挟み込む。そのため、より安定してビードセパレータ１２を保持バー８に吊り下げることができる。
【００３６】
次いで、突出移動突起１０を下方に引っ込めた後、ビード部材１３およびビードセパレータ１２の少なくとも一方を保持バー８の延設方向に沿って移動させる。この移動には、保持バー８の延設方向に突出移動するピンやシリンダロッド等を用いればよい。この移動距離は極めて短い（数センチ程度）ので、移動させるビード部材１３が変形したり、ビードセパレータ１２が振らつくような不具合は実質的に生じない。
【００３７】
ビード部材１３およびビードセパレータ１２の少なくとも一方を保持バー８の延設方向に沿って移動させることによって、図９に例示するようにビード部材１３を傾斜外面１２ｃに載置する。ビードフィラ１３ｂは経時的に徐々に屈曲して傾斜外面１２ｃに沿って載置される。したがって、経時的にもビードフィラ１３ｂの不用意な変形を防止できる。
【００３８】
次いで、ビード部材１３を載置したビードセパレータ１２を一体的に、ビード部材搬送手段１１によって別工程に搬送する。別工程では、ビード部材１３が成形工程で順次使用される、或いは、使用されるまでストックされる。
【００３９】
上記のとおり、本発明では、待機位置ＷＰのビード部材１３に向かってビードセパレータ１２を搬送してビード部材１３をビードセパレータ１２に載置した後、このビード部材１３をビードセパレータ１２とともに一体的に別工程に搬送するので、実質的にビード部材１３を単独で移動させることがない。それ故、ビードフィラ１３ｂの径方向長さが大きいビード部材１３であっても、ビードフィラ１３ｂの不用意な変形を防止するには有利になる。これに伴って、ビード部材１３の歩留まりが向上する。
【００４０】
加えて、突出部９によりビードセパレータ１２を縦置き状態に吊り下げて待機位置ＷＰのビード部材１３に隣接配置して安定に保持できる。そのため、ビードセパレータ１２を迅速に移動させてビード部材１３を所定位置に精度よく載置することができる。しかも、待機位置ＷＰにビード部材１２が縦置き状態に吊り下げられる都度、ビードセパレータ１２を待機位置ＷＰのビード部材１３に向かって搬送するので、成形したビード部材１２をビードセパレータ１３とともに一体的に迅速に別工程に搬送するには有利になる。即ち、本発明はタイヤの生産性向上に大きく寄与し、生産性に優れていると言える。
【符号の説明】
【００４１】
１  搬送装置
２  フレーム
３  保持具（保持手段）
３ａ  吸引パッド
３ｂ  伸縮ロッド
４  押さえバー
５  水平伸縮ロッド（セパレータ搬送手段）
６  吊り下げ手段
７  吊り下げフレーム
８  保持バー
９  突出部
１０  突出移動突起
１１  ビード部材搬送手段
１２  ビードセパレータ
１２ａ  一端の円形開口
１２ｂ  他端の円形開口
１２ｃ  傾斜外面
１２ｄ  傾斜内面
１３  ビード部材
１３ａ  ビードリング
１３ｂ  ビードフィラ
１３ｃ  円形開口
【図１】
0006372289.tif 000002
【図２】
0006372289.tif 000003
【図３】
0006372289.tif 000004
【図４】
0006372289.tif 000005
【図５】
0006372289.tif 000006
【図６】
0006372289.tif 000007
【図７】
0006372289.tif 000008
【図８】
0006372289.tif 000009
【図９】
0006372289.tif 000010
【図１０】
0006372289.tif 000011